(57)【要約】【課題】  ナプキンを一枚ずつ容易に取り出すことのできるナプキン立ての提供。【解決手段】  台部１と、台部に立設した支柱２と、支柱の側方及び後方を囲むように台部に立設したナプキン収容壁３とを備え、ナプキン収容壁は、左右方向の内寸Ａが収容するナプキン４の幅よりも小さいものであり、ナプキン収容壁３と支柱２との間の台部１上にナプキン４の束を幅方向の中央部で曲げた状態で立たせて保持することを特徴とする。【選択図】      図１
2007151639.tif 000002
【特許請求の範囲】
【請求項１】
台部（１）と、台部に立設した支柱（２）と、支柱の側方及び後方を囲むように台部に立設したナプキン収容壁（３）とを備え、ナプキン収容壁は、左右方向の内寸（Ａ）が収容するナプキン（４）の幅よりも小さいものであり、ナプキン収容壁（３）と支柱（２）との間の台部（１）上にナプキン（４）の束を幅方向の中央部で曲げた状態で立たせて保持することを特徴とするナプキン立て。
【請求項２】
ナプキン収容壁（３）が断面Ｃ字状に形成してあることを特徴とする請求項１記載のナプキン立て。
【請求項３】
ナプキン収容壁（３）と支柱（２）との前後方向の隙間（Ｃ）が、ナプキン収容壁（３）と支柱（２）との左右方向の隙間（Ｄ）よりも小さいことを特徴とする請求項１又は２記載のナプキン立て。
【請求項４】
ナプキン収容壁（３）が台部（１）に着脱自在であることを特徴とする請求項１，２又は３記載のナプキン立て。
【請求項５】
台部（１）に、楊枝立て部（５）、スティックシュガー又はレシートの立て部（６）、調味料入れの載置部（７）のうちの少なくとも一つを併設していることを特徴とする請求項１，２，３又は４記載のナプキン立て。
【発明の詳細な説明】
【技術分野】
【０００１】
本発明は、レストランや喫茶店等のテーブル上に置かれるナプキン立てに関する。
【背景技術】
【０００２】
従来のナプキン立てとしては、ベース上に二つの垂直壁を間隔をあけて立設し、垂直壁の間にナプキンの束を挟むものや、ベース上に角形の筒体を上向きに立設し、筒体内にナプキンの束を差し込んで保持するものがあった。ナプキンをナプキン立てから取り出す際には、ナプキンの上部をつまんで引き出すが、特にナプキンの枚数が多いときには、一枚だけをつまむのが容易ではなく、２，３枚同時に取り出してしまうことがよくある。ナプキンの枚数が少なくなると、ナプキンは上下方向の中間で折れ曲がって下に垂れ下がるため、ナプキンの取り出しが一層困難になる。また従来のナプキン立ては、ナプキンを保持する垂直壁の間や筒体内にゴミが溜まりやすく、これを除去するのが容易ではなかった。
【０００３】
ナプキンを立てて保持するものではないが、特許文献１には、略Ｕ字形に湾曲したホルダー上にナプキンの束を載置するとともに、ナプキンの中央部をウエートローラーで上から押さえて保持するナプキンホルダーが開示されている。このナプキンホルダーは、ナプキンを寝かせて保持していることと、ナプキンがホルダーよりも小さいことから、ナプキンを立てて保持するものと比べてナプキンがつまみ難く、さらにコの字形に曲げたストッパーがナプキンの周囲を囲んでいるので、引き出す際にナプキンがストッパーに引っ掛かり、取り出しに不便である。また、ナプキンを寝かせて保持するため、テーブル上においたときに広いスペースをとるし、ナプキンの上にゴミが溜まるといった不都合もある。
【特許文献１】特開２００４−３４４６１９号公報
【発明の開示】
【発明が解決しようとする課題】
【０００４】
本発明は以上に述べた実情に鑑み、ナプキンを一枚ずつ容易に取り出すことのできるナプキン立ての提供、及び掃除のしやすいナプキン立ての提供を目的とする。
【課題を解決するための手段】
【０００５】
上記の課題を達成するために請求項１記載の発明によるナプキン立ては、台部と、台部に立設した支柱と、支柱の側方及び後方を囲むように台部に立設したナプキン収容壁とを備え、ナプキン収容壁は、左右方向の内寸が収容するナプキンの幅よりも小さいものであり、ナプキン収容壁と支柱との間の台部上にナプキンの束を幅方向の中央部で曲げた状態で立たせて保持することを特徴とする。
【０００６】
請求項２記載の発明によるナプキン立ては、ナプキン収容壁が断面Ｃ字状に形成してあることを特徴とする。
【０００７】
請求項３記載の発明によるナプキン立ては、ナプキン収容壁と支柱との前後方向の隙間が、ナプキン収容壁と支柱との左右方向の隙間よりも小さいことを特徴とする。
【０００８】
請求項４記載の発明によるナプキン立ては、ナプキン収容壁が台部に着脱自在であることを特徴とする。
【０００９】
請求項５記載の発明によるナプキン立ては、台部に、楊枝立て部、スティックシュガー又はレシートの立て部、調味料入れの載置部のうちの少なくとも一つを併設していることを特徴とする。
【発明の効果】
【００１０】
請求項１記載の発明によるナプキン立ては、ナプキン収容壁と支柱との間の台部上にナプキンの束を幅方向の中央部で曲げた状態で立たせて保持することで、ナプキンが１枚ずつ分離され易くなり、尚且つナプキンが途中で折れ曲がって垂れ下がることがないので、ナプキンを１枚ずつ容易につまんで取り出すことができる。また、ナプキンの前面がナプキン収容壁前方の開口から露出することも、ナプキンの取り出しを容易にする。
【００１１】
請求項２記載の発明によるナプキン立ては、ナプキン収容壁が断面Ｃ字状に形成してあることで、ナプキンの枚数が少なくなったときでも、ナプキンをナプキン収容壁の内側に安定して保持できる。
【００１２】
請求項３記載の発明によるナプキン立ては、ナプキン収容壁と支柱との前後方向の隙間が、ナプキン収容壁と支柱との左右方向の隙間よりも小さいことで、ナプキンの取り出しやすさを維持しながらナプキンの保持力を向上させる効果がある。
【００１３】
請求項４記載の発明によるナプキン立ては、ナプキン収容壁が台部に着脱自在であることから、ナプキン収容壁を台部から取り外して清掃が容易に行える。また、ナプキン収容壁を着脱することで、ナプキンの束をセットしやすくする効果もある。
【００１４】
請求項５記載の発明によるナプキン立ては、台部に、楊枝立て部、スティックシュガー又はレシートの立て部、調味料入れの載置部のうちの少なくとも一つを併設していることから、ナプキンと合わせて楊枝や調味料等をテーブル上に体裁良く備え付けておくことができる。
【発明を実施するための最良の形態】
【００１５】
以下、本発明の実施の形態を図面に基づいて説明する。図１〜図３は、本発明のナプキン立ての一実施形態を示しており、図１は使用状態を示す斜視図、図２はナプキン立ての平面図と正面図、図３はナプキン立ての分解斜視図である。このナプキン立ては、四角形の板状の台部１と、台部１上面のほぼ中央位置に立設した丸棒状の支柱２と、支柱２の側方及び後方を囲むように台部１に立設したナプキン収容壁３とで構成され、ナプキン収容壁３と支柱２との間の台部１上に、ナプキン４の束を幅方向の中央部で曲げた状態で立たせて保持するものである。
【００１６】
ナプキン収容壁３は、透明な樹脂製のパイプの前部を切除して断面Ｃ字状に形成してある。ナプキン収容壁３の左右方向の内寸Ａは、収容するナプキン４の幅よりも小さくなっており、ナプキン収容壁３の台部１からの高さＢは、ナプキン４の高さよりも低く、ナプキン収容壁３からナプキン４の上部がはみ出すようにしている。具体的には、幅８５ｍｍ、高さ１４０ｍｍのナプキン４に対して、ナプキン収容壁３の左右方向の内寸Ａを約６５ｍｍ、台部１からの高さＢを約１００ｍｍとしている。ナプキン収容壁３は、図３に示すように、台部１上面に形成したＣ字状の溝８に下端部を差し込むことにより、台部１に着脱自在に取り付けている。台部１の溝８は、図４に示すように、溝幅がナプキン収容壁３の厚みよりも若干大きくしてあり、またナプキン収容壁３は、台部１に取付ける前の状態では、図４中に二点鎖線３ａで示すように、前方の開口部を狭まり気味に形成してあって、ナプキン収容壁３の下端部を台部１の溝８に差し込んだときに、ナプキン収容壁３が弾力的に少し広がって溝８の内周側面に密着し、ナプキン収容壁３を安定して取付けできる。
【００１７】
支柱２は、直径１２ｍｍの金属製の丸棒で形成してあり、図３に示すように、下端部に設けた雄ネジ部９を台部１に設けた雌ネジ穴１０に捩じ込むことで、台部１に着脱自在に取り付けている。支柱２は、図２（ａ）に示すように、ナプキン収容壁３の湾曲中心１１よりも１０ｍｍ程度後方にずれた位置に設けてあり、支柱２とナプキン収容壁３との前後方向の隙間Ｃを、支柱２とナプキン収容壁３との左右方向の隙間Ｄよりも小さくしている。
【００１８】
ナプキン４は、縦長の長方形に折り畳んだ六つ折りの紙ナプキンであり、図１に示すように、前面に中間高さまで達する上向きの折り返し部１２を有し、折り返し部１２がナプキン収容壁３前方の開口部から露出している。ナプキン４の束を本ナプキン立てにセットする際には、ナプキン収容壁３と支柱２が台部１に取付けられた状態で、ナプキン収容壁３と支柱２の間にナプキン４の束を差し込んでもよいが、ナプキン収容壁３を取り外して台部１上にナプキン４の束を支柱２に沿わせて置き、その後でナプキン収容壁３を台部１に取付けるか、取り外したナプキン収容壁３の上にナプキン４の束を置き、ナプキンの束を載せたままナプキン収容壁３を台部１に取付けるようにすれば、ナプキン４のセットがより簡単に行える。
【００１９】
本ナプキン立てによれば、断面Ｃ字状に形成したナプキン収容壁３とその内側に立設した支柱２とにより、ナプキン４の束が縦に曲げられた状態で緩やかに保持される。そのため、ナプキン４が１枚ずつ分離されやすくなると共に、ナプキン４が途中で折れ曲がって垂れ下がることがなく、図１に示すように、ナプキン４の折り返し部１２の角部を指でつまんで前方に引き出すことで、極めて容易にナプキン４を１枚ずつ取り出すことができる。また、ナプキン収容壁３の台部１からの高さＢがナプキン４の高さよりも低く、ナプキン収容壁３からナプキン４の上部がはみ出すので、側方や後方からナプキン４をつまんで取り出すこともできる。
ナプキン収容壁３は、断面Ｕ字状等に形成してあってもよいが、本実施形態のもののように断面Ｃ字状に形成してあって開口幅を中央部の幅Ａよりも狭くしてあることで、ナプキン４がナプキン収容壁３の内側に安定して保持され、ナプキン４の枚数が少なくなったときでも、ナプキン４が風に飛ばされるのを防止できる。
さらに、支柱２の位置をナプキン収容壁３の湾曲中心１１よりも後方にずらしていることで、ナプキン４を確実に縦に曲がった状態に維持できると共に、ナプキン４の保持力を高め、ナプキン４が風に飛ばされにくくする効果がある。
また本ナプキン立ては、ナプキン収容壁３と支柱２を台部１に着脱自在にしているので、ナプキン収容壁３と支柱２を取り外すことで清掃が容易に行え、常に清潔な状態で使用できる。
【００２０】
図５は、本発明のナプキン立ての他の実施形態を示している。台部１は、横に長く形成し、ナプキン立て部１３の左側に塩等の調味料入れ１４の載置部７を併設し、ナプキン立て部１３の右側に、楊枝立て部５とスティックシュガー立て部６とを併設している。調味料入れの載置部７は、円形の凹部となっており、そこに調味料入れ１４を載置できるようにしている。楊枝立て部５とスティックシュガー立て部６は、それぞれ台部１に形成した円形凹部１５ａ，１５ｂ内に透明な樹脂製のパイプ１６ａ，１６ｂを載置して構成している。本実施形態のものによれば、ナプキン４と合わせて、調味料入れ１４と楊枝とスティックシュガーとをテーブル上に体裁良く備え付けておくことができるので、飲食店等における利便性が向上する。スティックシュガー立て部６は、レシート立て部として用いることもできる。
【００２１】
本発明は、以上に述べた実施形態に限定されない。ナプキン収容壁は、断面Ｕ字状や半円状に形成したものであってもよい。各部材の材質は任意であり、例えばナプキン収容壁をステンレス等の薄い板を曲げて形成してもよい。支柱は、断面が四角形や三角形のものであってもよいし、支柱の本数は１本に限らず、細い支柱を複数本並べて立設してもよい。
【図面の簡単な説明】
【００２２】
【図１】本発明のナプキン立ての使用状態を示す斜視図である。
【図２】（ａ）は本発明のナプキン立ての平面図、（ｂ）は同正面図である。
【図３】本発明のナプキン立ての分解斜視図である。
【図４】ナプキン収容壁の台部への取付構造を示す平面図である。
【図５】本発明のナプキン立ての応用例を示す斜視図である。
【符号の説明】
【００２３】
１  台部
２  支柱
３  ナプキン収容壁
４  ナプキン
５  楊枝立て部
６  スティックシュガー立て部
７  調味料入れの載置部
Ａ  ナプキン収容壁の左右方向の内寸
Ｂ  ナプキン収容壁の台部からの高さ
Ｃ  ナプキン収容壁と支柱との前後方向の隙間
Ｄ  ナプキン収容壁と支柱との左右方向の隙間
【図１】
2007151639.tif 000003
【図２】
2007151639.tif 000004
【図３】
2007151639.tif 000005
【図４】
2007151639.tif 000006
【図５】
2007151639.tif 000007